(57)【要約】【課題】イオンを排出する排出口を、排気口の下方に設けることで、イオン排出口から排出されたイオンが、排気口の排気風に乗って大気中への拡散を促進する電気掃除機を提供する。【解決手段】電動送風機２から発生する排気風により、イオン発生器３５で発生させた大量のイオンを、イオン排出口３１から排出させることで、イオン排出口３１の上方にある、電動送風機２の排気の大半を排出する排気口３４の排気風により、イオンを大気中により拡散させることが出来る。【選択図】図３
2010063660.tif 000002
【特許請求の範囲】
【請求項１】
吸引風を発する電動送風機と、前記電動送風機に連通し塵埃を捕集する集塵装置と、前記集塵装置に連通し塵埃を吸引する吸込具と、前記電動送風機の排気を本体外に排出する排気口と、前記電動送風機の排気の一部を利用して大気にイオンを放出させるイオン発生器とを備え、前記排気口の下方にイオン発生器から発生するイオンの排出口を設けた電気掃除機。
【請求項２】
イオンが排出される排出口が上方を向いている請求項１記載の電気掃除機。
【請求項３】
イオンが排出される排出口を複数設けた請求項１または２記載の電気掃除機。
【請求項４】
イオンが排出される排出口を排気口の左右に設け、前記排気口から排出される排気の向きが前記排気口の略中央で交差するように構成した請求項３記載の電気掃除機。
【請求項５】
排気口の排気風速よりもイオンが排出される排出口からの排気風速を高めたことを特徴とする請求項１〜４のいずれか１項に記載の電気掃除機。
【発明の詳細な説明】
【技術分野】
【０００１】
本発明は、空気清浄効果の高い電気掃除機に関するものである。
【背景技術】
【０００２】
従来から電気掃除機のイオンを発生させることに関しては、吸気または排気経路にイオン発生体を配置し、排出口を主排気の上側に配置させる構成のものが提案されている（例えば、特許文献１参照）。
【０００３】
従来のこの種の電気掃除機においては、生体に好影響を与えるものとしてマイナスイオンを発生する機能を設けることを目的としており、発生したマイナスイオンを電動送風機排気風を利用して空気中に放出する構成が取られている。この際、マイナスイオンは、イオン排出口から斜め上方へ放出される。
【特許文献１】特許第３８０６６７２号公報
【発明の開示】
【発明が解決しようとする課題】
【０００４】
しかしながら、前記従来の構成は、空気清浄効果を高める目的のものではなく、また、マイナスイオン排出口が主となる排気口の上方に設けられているため、マイナスイオンは排気口の排気風の力のみで拡散され、広く拡散させることは出来なかった。マイナスイオンは、より遠くまで拡散をさせたほうが室内の空気中の塵埃とより交じり、空気清浄効果を高めることができる。なお、イオンの拡散する力を高めようとした場合には排気風の速度を高めればよいが、速度を高めすぎると、排気風の速度が高くなり利用者に不快感を与えることになり、好ましくなかった。
【０００５】
本発明は上記課題を解決するもので、利用者に不快感を与えることなくイオンの拡散を高めることができ、電気掃除機の空気清浄効果をより高く出来るものである。
【課題を解決するための手段】
【０００６】
上記従来の課題を解決するために本発明の電気掃除機は、吸引風を発する電動送風機と、前記電動送風機に連通し塵埃を捕集する集塵装置と、前記集塵装置に連通し塵埃を吸引する吸込具と、前記電動送風機の排気を本体外に排出する排気口と、前記電動送風機の排気の一部を利用して大気にイオンを放出させるイオン発生器とを備え、前記排気口の下方にイオン発生器から発生するイオンの排出口を設けたことを特徴とするもので、排気口の下部に設けたイオン発生器の排出口より発生したイオンが主排気風の風により、より遠くまでイオンを拡散することが出来る。排気口からの排気量はイオンの排出風よりも絶対量が多くなるため、イオン排出風の単独で拡散するよりも、より部屋の隅々までイオンが行き届くこととなり、空気清浄効果をより向上させることが出来る。
【発明の効果】
【０００７】
本発明によれば、イオン発生器より発生したイオンがより遠くまで拡散することが出来、空気清浄効果がより高い電気掃除機を提供できる。
【発明を実施するための最良の形態】
【０００８】
第１の発明は、吸引風を発する電動送風機と、前記電動送風機に連通し塵埃を捕集する集塵装置と、前記集塵装置に連通し塵埃を吸引する吸込具と、前記電動送風機の排気を本体外に排出する排気口と、前記電動送風機の排気の一部を利用して大気にイオンを放出させるイオン発生器とを備え、前記排気口の下方にイオン発生器から発生するイオンの排出口を設けたことを特徴とする電気掃除機で、イオン発生器から発生したイオンを排気口の排気風により、より遠くまで発生したイオンを拡散させることが出来る。
【０００９】
第２の発明は、特に、第１の発明において、イオンが排出される排出口が上方を向いている電気掃除機とすることにより、より効果的にイオンを主排気の風に乗せることが出来、イオンの拡散効果を高めることが出来る。また、イオンの排出口が上方を向いていることで、床面のゴミの吹き飛ばしの問題も心配する恐れがない。
【００１０】
第３の発明は、特に、第１または２の発明において、イオンが排出される排出口を複数設けた電気掃除機にすることにより、発生したイオンがより均等に排気風に乗ることで、より効果的にイオンを拡散することが出来る。
【００１１】
第４の発明は、特に、第３の発明において、イオンが排出される排出口を排気口の左右に設け、前記排気口から排出される排気の向きが前記排気口の略中央で交差するように構成した電気掃除機で、イオン排出の向きを排気口の略中央とすることで、より効果的にイオンを拡散させることが出来る。
【００１２】
第５の発明は、第１〜４のいずれか１つの発明において、排気口の排気風速よりもイオンが排出される排出口からの排気風速を高めたことを特徴とすることにより、放出されるイオンの数を増大させると共に、排気口からの大風量でかつ低速の排気風を利用することで、イオンを広範囲に拡散することが可能となり、空気清浄効果を高めることが出来る。
【００１３】
（実施の形態１）
本発明の第１の実施の形態における電気掃除機について、図１〜５を用いて説明する。
【００１４】
図１、２、３において、電気掃除機本体１は、後部に電動送風機２を内蔵した電動送風機室３が配され、前部に、着脱自在で塵埃を捕集する集塵ボックス４が配され、集塵ボックスの取っ手部５を集塵ボックス４の天面に設けている。底面には、３輪の車輪６が回転自在に取着されている。電気掃除機本体１の前部には、ホース８の一端に設けた接続パイプ９が着脱自在に接続される吸入口１０が設けられている。
【００１５】
連通穴９が設けられた吸入口１０と吸入口１０の後方に前記集塵ボックス４が装着され、集塵ボックス４の内部に、粗ゴミを集塵する多孔室に形成された薄板１１を形成した筒体部１２と、その下流にプリーツ加工された集塵用のフィルター１３を形成している。集塵用フィルター１３の表面は熱可塑性繊維で構成されており、空気等の摩擦で一般的にはマイナス側に帯電することになる。また本体後方には、イオン発生器３５から排出されるイオンの排出口３１が設けられている。
【００１６】
ホース８の他端には、掃除の際に握る把手７ａを備えた先端パイプ７が設けられている。１８は、伸縮自在或いは継ぎ自在の延長管で、下流側端部が前記先端パイプ７に着脱自在に接続され、他端は、塵埃掻き揚げ用の回転ブラシ１４と、その回転ブラシ１４を回転駆動するモーター１５を内蔵した吸込具１６に着脱自在に接続される。
【００１７】
ハンドル１７は、電気掃除機本体１を持ち運ぶ際に使用する取っ手で、通常時は電気掃除機本体１内に収納されており、持ち運ぶ際には上へ引っ張り出すことで取っ手部として構成される。
【００１８】
電動送風機２の前部は、弾性材料からなるサポート前２０で、後部は、同じく弾性材料からなるサポート後２１で、電動送風機室３内に支持されており、モーターケース２２とモーターカバー２３にて、前記サポート前２０とサポート後２１を挟持している。
【００１９】
また、本体の後方には電動送風機２の排気を排出させる排気口３４であり、排気口３４の直前には、不織布で構成された微細塵を捕集するフィルター後３３がある。
【００２０】
図３、４に示すように、本体下方のボデーソコ４０にイオンを発生させるための電源としての高電圧装置２４が保持固定されている。また、下ボディ１９下方後部に設けたスタンド収納用のレスト部Ｂ２５内部に、電極カバー２６で覆われた針状電極２７、２８を電極ケース２９にねじ３０で固定されユニット化されたイオン発生器３５が収納されている。なお、スタンド収納とは、非使用時において、吸込口１０を上方に向けて電気掃除機本体１を立てた状態とする収納形態を意味するもので、本実施の形態では、排気口の左右に設けたレスト部Ａ３２と、下方の左右に設けたレスト部Ｂ２５が、床面に接地した状態を示す。
【００２１】
また、電極ケース２９には、排気風の連通穴３６が開いている。そして、前記針状電極２７、２８と高電圧装置２４は電気的に接続されている。この構成により、針状電極２７、２８間でコロナ放電することにより、マイナスイオンが発生する。
【００２２】
上記構成による作用は以下の通りである。
【００２３】
電動送風機２を運転させると、電動送風機２からの排気風の一部が連通穴３６を通過し、針状電極２７、２８間で発生したマイナスイオンと共に、イオン排出口３１から斜め上方へ放出される。この時、排気口３４からも多量の排気風（主排気風）がある。この主排気風はイオン排出口３１の上方に位置し、またイオン排出口３１が上方を向いているため、イオン発生器３５を経由した排出風が、排気口３４の排気風に乗り、よりいっそう遠くへイオンを放出できるのである。
【００２４】
従って、イオン発生器３５からの排気のみで拡散する場合に比べ、本実施の形態では、排気口３４からの大風量の排気風を利用することで、イオンを広範囲に拡散することが可能となる。
【００２５】
なお、イオン排出口３１からの排出の向きを、排気口３４の中心に向けて内側斜めにすると、マイナスイオンはより排気風に乗りやすくなる。
【００２６】
更に、イオンの放出量を増やすために、排気口３４の排気風速よりもイオン排出口３１からの排気風速を高めたとしても、イオン排出口３１が上方を向いていることで、床面のゴミの吹き飛ばしの問題もなく、大風量かつ低速の排気風により拡散することが可能となる。
【００２７】
そして、イオン排出口３１から放出されたマイナスイオンにより、大気中に浮遊する細かい塵埃はマイナス側に帯電する。マイナス側に帯電した塵埃は吸込具１６から吸引され、延長管１３、ホース８を通過した後、フィルター１３に捕集されるため、フィルター１３のマイナス側の電位が上昇して塵埃が付着しやすくなるのである。
【００２８】
これにより従来に比べ空気清浄効果の優れた電気掃除機を得ることができる。また、集塵フィルターの代わりに、集塵袋を用いてエレクトレット加工を施した不織布を用いても、集塵袋に塵埃が付着しやすくなり空気清浄効果を向上することができる。
【産業上の利用可能性】
【００２９】
以上のように、本発明にかかる電気掃除機は、簡便な手段により空気清浄効果の優れた各種家庭用、業務用電気掃除機等に広く適用できる。特に家庭、業務用等の電気掃除機に有用である。
【図面の簡単な説明】
【００３０】
【図１】本発明の実施の形態１における電気掃除機の全体斜視図
【図２】同電気掃除機の後方斜視図
【図３】同電気掃除機の電気掃除機本体の要部断面図
【図４】同電気掃除機の電気掃除機本体後方の要部断面図
【図５】同電気掃除機のイオン発生器の分解斜視図
【符号の説明】
【００３１】
１    電気掃除機本体
２    電動送風機
４    集塵ボックス（集塵装置）
１６  吸込具
３１  イオン排出口（排出口）
３４  排気口
３５  イオン発生器
【図１】
2010063660.tif 000003
【図２】
2010063660.tif 000004
【図３】
2010063660.tif 000005
【図４】
2010063660.tif 000006
【図５】
2010063660.tif 000007